(57)【要約】【課題】無線通信を利用する遠隔操作装置が溶接電源装置との間でできるだけ正確に通信を行うことができる溶接装置を提供する。【解決手段】溶接電源装置１と、溶接電源装置１とパワーケーブル４１で接続されているワイヤ送給装置２と、ワイヤ送給装置２との間で無線通信を行う遠隔操作装置３とを備えている溶接装置Ａにおいて、溶接電源装置１とワイヤ送給装置２とが、パワーケーブル４１を介して通信を行うようにした。遠隔操作装置３はワイヤ送給装置２の近くに位置するので、間に隔壁や他の溶接装置などが存在する可能性が少なく、無線通信に障害が発生しにくい。また、ワイヤ送給装置２と溶接電源装置１とは離れていても有線通信なので、通信に障害が発生しにくい。したがって、遠隔操作装置３が溶接電源装置１と直接無線通信を行う場合と比べて、通信に障害が発生しにくく、正確に通信を行うことができる。【選択図】図１
2014240089.tif 000002
【特許請求の範囲】
【請求項１】
溶接電源装置と、
前記溶接電源装置が電力を供給するための電力伝送線と、
前記電力伝送線上に設けられている中継装置と、
前記中継装置との間で無線通信を行う遠隔操作装置と、
を備えており、
前記溶接電源装置と中継装置とが、前記電力伝送線を介して通信を行う、
ことを特徴とする溶接装置。
【請求項２】
前記溶接電源装置は、
前記遠隔操作装置との間で無線通信を行っており、
無線通信によって前記遠隔操作装置から直接受信した信号と、前記中継装置および電力伝送線を介して受信した信号とを比較する比較手段と、
前記比較手段によって２つの信号が同じであると判断された場合にのみ、当該信号に基づいて処理を行う処理手段と、
を備えている、
請求項１に記載の溶接装置。
【請求項３】
前記溶接電源装置は、前記比較手段によって２つの信号が異なると判断された場合に、前記遠隔操作装置に信号の再送信を要求する再送信要求手段をさらに備えている、
請求項２に記載の溶接装置。
【請求項４】
前記溶接電源装置は、前記比較手段が比較を行った回数をカウントするカウント手段をさらに備え、
前記処理手段は、前記カウント手段によってカウントされた数が所定数を超えた場合に、前記中継装置および電力伝送線を介して受信した信号に基づいて処理を行う、
請求項３に記載の溶接装置。
【請求項５】
前記処理手段は、前記比較手段によって２つの信号が異なると判断された場合に、前記中継装置および電力伝送線を介して受信した信号に基づいて処理を行う、
請求項２に記載の溶接装置。
【請求項６】
前記溶接電源装置は、
溶接条件を設定するための溶接条件設定信号を受信する第１通信手段と、
前記第１通信手段によって受信された溶接条件設定信号に基づいて、第１記憶手段に記憶されている溶接条件パラメータを変更する第１記憶制御手段と、
前記第１記憶手段に記憶されている溶接条件パラメータに基づいて、前記溶接電源装置の出力を制御する出力制御手段とを備え、
前記第１通信手段は、前記第１記憶手段に記憶されている溶接条件パラメータを溶接条件パラメータ信号として送信し、
前記遠隔制御装置は、
溶接作業者による操作に基づいて、第２記憶手段に記憶されている溶接条件を変更する第２記憶制御手段と、
前記第２記憶手段に記憶されている溶接条件に基づいて表示を行う表示手段と、
前記第２記憶手段に記憶されている溶接条件を溶接条件信号として送信し、前記第１通信手段が送信した溶接条件パラメータ信号を受信する第２通信手段と、
前記第２通信手段によって受信された溶接条件パラメータ信号に基づく溶接条件パラメータを記憶する第３記憶手段と、
前記第２記憶手段に記憶されている溶接条件と前記第３記憶手段に記憶されている溶接条件パラメータとを比較して、一致しているか否かを判定する判定手段と、
前記判定手段による判定結果に基づいて報知を行う報知手段と、
を備えている、
請求項１ないし５のいずれかに記載の溶接装置。
【請求項７】
前記中継装置はワイヤ送給装置である、
請求項１ないし６のいずれかに記載の溶接装置。
【請求項８】
前記中継装置は溶接トーチである、
請求項１ないし６のいずれかに記載の溶接装置。
【請求項９】
溶接電源装置が電力を供給するための電力伝送線上に設けられ、
前記溶接電源装置を遠隔操作するための遠隔操作装置との間で無線通信を行い、
前記溶接電源装置との間で前記電力伝送線を介した通信を行う、
ことを特徴とする中継装置。
【請求項１０】
溶接電源装置と、前記溶接電源装置が電力を供給するための電力伝送線と、前記電力伝送線上に設けられている中継装置と、前記溶接電源装置を遠隔操作するための遠隔操作装置とを備えている溶接装置の通信方法であって、
前記遠隔操作装置が、無線によって信号を送信する第１の工程と、
前記中継装置が、前記遠隔操作装置が送信した信号を受信する第２の工程と、
前記中継装置が、受信した信号を、前記電力伝送線を介して前記溶接電源装置に送信する第３の工程と、
前記溶接電源装置が、前記電力伝送線を介して送信された信号を受信する第４の工程と、
を備えていることを特徴とする通信方法。
【発明の詳細な説明】
【技術分野】
【０００１】
本発明は、遠隔操作装置で溶接電源装置の操作を行う溶接装置、および、溶接装置の通信方法に関する。
【背景技術】
【０００２】
消耗電極式の溶接装置は、通常、重量があるために移動させない溶接電源装置と、溶接個所の変更に伴って溶接作業者が持ち運びするワイヤ送給装置とに分離されている。溶接電源装置が溶接作業を行っている位置から離れた場所に設置されている場合、溶接電圧などの溶接条件を設定するために、作業者が溶接電源装置の設置場所まで行くのは作業効率が悪い。これを解消するために、溶接電源装置との間で無線通信を行う遠隔操作装置を用いて、溶接条件の変更を行うものが開発されている（特許文献１参照）。
【先行技術文献】
【特許文献】
【０００３】
【特許文献１】特許第３４１４１９３号公報
【発明の概要】
【発明が解決しようとする課題】
【０００４】
造船、橋梁等の大型構造物の溶接現場においては、溶接電源装置と溶接個所とが数十ｍ離れていることが多い。このような溶接現場において、溶接作業者が溶接個所付近で無線式の遠隔操作装置を使用して溶接電源装置に溶接条件を設定する場合、遠隔操作装置と溶接電源装置とが隔壁等によって隔てられていることがあるために、無線通信に障害が生じることがある。
【０００５】
また、このような溶接現場においては複数の溶接装置が用いられているので、他の溶接装置が送受信する信号が混信したり、ノイズが混入するなどして、無線通信に障害が生じることもある。
【０００６】
図９は、従来の溶接装置Ａ１００の遠隔操作装置３００と溶接電源装置１００との間で、無線通信を行っている状態を示している。溶接電源装置１００が非加工物Ｗから離れた位置に配置されており、溶接作業者はワイヤ送給装置２００を被加工物Ｗの近くに持ち運んで溶接作業を行っている。溶接作業者は溶接電源装置１００を遠隔操作するために、遠隔操作装置３００を所持している。同図は、隔壁Ｂによって溶接電源装置１００から隔てられた位置にある被加工物Ｗの溶接作業を行っているときに、溶接作業者が、遠隔操作装置３００を操作して溶接条件を設定している状態を示している。溶接条件を設定するための信号が遠隔操作装置３００の通信部３６０から送信されている。しかし、隔壁Ｂのために、送信された信号が溶接電源装置１００の通信部１４０に正しく受信されない場合がある。また、遠隔操作装置３００と溶接電源装置１００とが離れているので、間にある他の溶接装置の送信信号を受信したり、間にある他の機器から発生するノイズが混入したりする場合がある。
【０００７】
無線通信に障害が発生すると、溶接条件を通信することができなくなったり、通信できたとしても溶接条件の値を正確に通信できなくなったりする。このような通信障害が発生すると、遠隔操作装置３００で設定された溶接条件が溶接電源装置１００に正確に通信されないために、溶接が不安定になり溶接品質が悪くなる。
【０００８】
本発明は上記した事情のもとで考え出されたものであって、無線通信を利用する遠隔操作装置が溶接電源装置との間でできるだけ正確に通信を行うことができる溶接装置を提供することをその目的としている。
【課題を解決するための手段】
【０００９】
上記課題を解決するため、本発明では、次の技術的手段を講じている。
【００１０】
本発明の第１の側面によって提供される溶接装置は、溶接電源装置と、前記溶接電源装置が電力を供給するための電力伝送線と、前記電力伝送線上に設けられている中継装置と、前記中継装置との間で無線通信を行う遠隔操作装置とを備えており、前記溶接電源装置と中継装置とが、前記電力伝送線を介して通信を行うことを特徴とする。
【００１１】
本発明の好ましい実施の形態においては、前記溶接電源装置は、前記遠隔操作装置との間で無線通信を行っており、無線通信によって前記遠隔操作装置から直接受信した信号と、前記中継装置および電力伝送線を介して受信した信号とを比較する比較手段と、前記比較手段によって２つの信号が同じであると判断された場合にのみ、当該信号に基づいて処理を行う処理手段とを備えている。
【００１２】
本発明の好ましい実施の形態においては、前記溶接電源装置は、前記比較手段によって２つの信号が異なると判断された場合に、前記遠隔操作装置に信号の再送信を要求する再送信要求手段をさらに備えている。
【００１３】
本発明の好ましい実施の形態においては、前記溶接電源装置は、前記比較手段が比較を行った回数をカウントするカウント手段をさらに備え、前記処理手段は、前記カウント手段によってカウントされた数が所定数を超えた場合に、前記中継装置および電力伝送線を介して受信した信号に基づいて処理を行う。
【００１４】
本発明の好ましい実施の形態においては、前記処理手段は、前記比較手段によって２つの信号が異なると判断された場合に、前記中継装置および電力伝送線を介して受信した信号に基づいて処理を行う。
【００１５】
本発明の好ましい実施の形態においては、前記溶接電源装置は、溶接条件を設定するための溶接条件設定信号を受信する第１通信手段と、前記第１通信手段によって受信された溶接条件設定信号に基づいて、第１記憶手段に記憶されている溶接条件パラメータを変更する第１記憶制御手段と、前記第１記憶手段に記憶されている溶接条件パラメータに基づいて、前記溶接電源装置の出力を制御する出力制御手段とを備え、前記第１通信手段は、前記第１記憶手段に記憶されている溶接条件パラメータを溶接条件パラメータ信号として送信し、前記遠隔制御装置は、溶接作業者による操作に基づいて、第２記憶手段に記憶されている溶接条件を変更する第２記憶制御手段と、前記第２記憶手段に記憶されている溶接条件に基づいて表示を行う表示手段と、前記第２記憶手段に記憶されている溶接条件を溶接条件信号として送信し、前記第１通信手段が送信した溶接条件パラメータ信号を受信する第２通信手段と、前記第２通信手段によって受信された溶接条件パラメータ信号に基づく溶接条件パラメータを記憶する第３記憶手段と、前記第２記憶手段に記憶されている溶接条件と前記第３記憶手段に記憶されている溶接条件パラメータとを比較して、一致しているか否かを判定する判定手段と、前記判定手段による判定結果に基づいて報知を行う報知手段とを備えている。
【００１６】
本発明の好ましい実施の形態においては、前記中継装置はワイヤ送給装置である。
【００１７】
本発明の好ましい実施の形態においては、前記中継装置は溶接トーチである。
【００１８】
本発明の第２の側面によって提供される中継装置は、溶接電源装置が電力を供給するための電力伝送線上に設けられ、前記溶接電源装置を遠隔操作するための遠隔操作装置との間で無線通信を行い、前記溶接電源装置との間で前記電力伝送線を介した通信を行う、
ことを特徴とする。
【００１９】
本発明の第３の側面によって提供される通信方法は、溶接電源装置と、前記溶接電源装置が電力を供給するための電力伝送線と、前記電力伝送線上に設けられている中継装置と、前記溶接電源装置を遠隔操作するための遠隔操作装置とを備えている溶接装置の通信方法であって、前記遠隔操作装置が、無線によって信号を送信する第１の工程と、前記中継装置が、前記遠隔操作装置が送信した信号を受信する第２の工程と、前記中継装置が、受信した信号を、前記電力伝送線を介して前記溶接電源装置に送信する第３の工程と、前記溶接電源装置が、前記電力伝送線を介して送信された信号を受信する第４の工程とを備えていることを特徴とする。
【発明の効果】
【００２０】
本発明によると、遠隔操作装置とワイヤ送給装置とが無線通信を行い、ワイヤ送給装置と溶接電源装置とが電力伝送線を介した有線通信を行う。遠隔操作装置はワイヤ送給装置の近くに位置するので、間に隔壁やほかの溶接装置などが存在する可能性が少なく、無線通信に障害が発生しにくい。また、ワイヤ送給装置と溶接電源装置とは離れていても有線通信なので、通信に障害が発生しにくい。したがって、遠隔操作装置が溶接電源装置と直接無線通信を行う場合と比べて、通信に障害が発生しにくく、正確に通信を行うことができる。
【００２１】
本発明のその他の特徴および利点は、添付図面を参照して以下に行う詳細な説明によって、より明らかとなろう。
【図面の簡単な説明】
【００２２】
【図１】第１実施形態に係る溶接装置の全体構成を説明するための図である。
【図２】遠隔操作装置の外観図の一例である。
【図３】遠隔操作装置の制御部が行う判定処理を説明するためのフローチャートである。
【図４】第２実施形態に係る溶接装置の全体構成を説明するための図である。
【図５】溶接電源装置の制御部が行う比較処理を説明するためのフローチャートである。
【図６】比較処理の他の実施例を説明するためのフローチャートである。
【図７】第３実施形態に係る溶接装置の全体構成を説明するための図である。
【図８】第４実施形態に係る溶接装置の全体構成を説明するための図である。
【図９】従来の溶接装置の遠隔操作装置と溶接電源装置との間で、無線通信を行っている状態を示す図である。
【発明を実施するための形態】
【００２３】
以下、本発明の実施の形態を、図面を参照して具体的に説明する。
【００２４】
図１は、第１実施形態に係る溶接装置の全体構成を説明するための図である。
【００２５】
図１に示すように、溶接装置Ａは、溶接電源装置１、ワイヤ送給装置２、遠隔操作装置３、パワーケーブル４１,４２、および、溶接トーチＴを備えている。溶接電源装置１の一方の出力端子は、パワーケーブル４１を介して、ワイヤ送給装置２に接続されている。ワイヤ送給装置２は、ワイヤ電極を溶接トーチＴに送り出して、ワイヤ電極の先端を溶接トーチＴの先端から突出させる。ワイヤ送給装置２において、パワーケーブル４１とワイヤ電極とは電気的に接続されている。溶接電源装置１の他方の出力端子は、パワーケーブル４２を介して、被加工物Ｗに接続される。溶接電源装置１は、溶接トーチＴの先端から突出するワイヤ電極の先端と、被加工物Ｗとの間に高電圧を印加してアークを発生させる。溶接装置Ａは、当該アークの熱で被加工物Ｗの溶接を行う。なお、溶接装置Ａは、実際には、溶接トーチＴから放出するためのシールドガスのガスタンク、溶接トーチＴを冷却する冷却水を循環させる冷却水循環装置などを備えている場合もあるが、図への記載や説明を省略している。
【００２６】
溶接電源装置１は、アークを発生させるための電力を供給するものである。溶接電源装置１は、電力変換部１１、記憶部１２、制御部１３、および、通信部１４を備えている。
【００２７】
電力変換部１１は、電力系統から入力される三相交流電力をアーク溶接に適した直流電力に変換して出力するものである。電力変換部１１に入力される三相交流電力は、整流回路によって直流電力に変換され、インバータ回路によって交流電力に変換される。そして、トランスによって昇圧され、整流回路によって直流電力に変換されて出力される。なお、電力変換部１１の構成は、上記したものに限定されない。
【００２８】
記憶部１２は、溶接電源装置１から出力される溶接電圧を設定するための設定電圧や、溶接電源装置１から出力される溶接電流を設定するための設定電流などの溶接条件パラメータＷｐを記憶するものである。
【００２９】
制御部１３は、溶接電源装置１の制御を行うものであり、例えばマイクロコンピュータなどによって実現されている。制御部１３は、溶接電源装置１から出力される溶接電圧や溶接電流が記憶部１２に記憶されている設定電圧や設定電流になるように、制御を行う。また、図示しない設定ボタンの操作に応じて記憶部１２に記憶されている溶接条件パラメータＷｐの変更を行ったり、図示しない起動ボタンの操作に応じて電力変換部１１を起動させたりなどの制御を行う。また、制御部１３は、図示しないセンサによって検出された溶接電圧や溶接電流の検出値を図示しない表示部に表示させたり、異常が発生した場合に図示しない報知部に報知させたりする。
【００３０】
また、制御部１３は、通信部１４から入力される信号に基づいても、溶接条件パラメータＷｐの変更や電力変換部１１の起動を行い、検出された溶接電圧または溶接電流の検出信号や、異常発生を示す信号を通信部１４に出力する。また、制御部１３は、あらかじめ設定された送信周期ごとに、記憶部１２に記憶されている溶接条件パラメータＷｐを読み出して、通信部１４に出力する。なお、本実施形態では、送信周期は、１０〜５００ｍｓ程度の範囲で設定されている。
【００３１】
通信部１４は、パワーケーブル４１を介して、ワイヤ送給装置２との間で通信を行うためのものである。通信部１４は、ワイヤ送給装置２から受信した信号を復調して、制御部１３に出力する。ワイヤ送給装置２から受信する信号には、例えば、記憶部１２に記憶された溶接条件パラメータＷｐを変更するための溶接条件設定信号や、電力変換部１１の起動を指示する起動信号などがある。また、通信部１４は、制御部１３から入力される信号を変調して、ワイヤ送給装置２に送信する。ワイヤ送給装置２に送信する信号には、例えば、検出された溶接電圧または溶接電流の検出信号や、異常発生を示す信号、記憶部１２に記憶されている溶接条件パラメータＷｐを送信するための溶接条件パラメータ信号などがある。なお、ワイヤ送給装置２との間で送受信される信号は、上記したものに限定されない。
【００３２】
通信部１４は、直接スペクトル拡散（Direct Sequence Spread Spectrum:DSSS）通信方式を用いて通信を行う。直接スペクトル拡散通信方式では、送信側は、送信する信号に対して拡散符号による演算を行い、元の信号のスペクトルをより広い帯域に拡散して送信する。受信側は、受信した信号を共通する拡散符号を用いて逆拡散することで、元の信号に戻す。溶接装置毎に異なる拡散符号を用いていれば、別の溶接装置で送受信される信号を受信したとしても、当該信号は異なる拡散符号で逆拡散されて、ノイズとして除去される。したがって、高い通信品質で通信を行うことができる。
【００３３】
通信部１４は、パワーケーブル４１の周囲に配置されてパワーケーブル４１に磁気結合したコイルを備えている。通信部１４は、当該コイルを介して、信号をパワーケーブル４１で送信し、また、パワーケーブル４１で送られる信号を当該コイルによって検出する。通信部１４は、制御部１３より入力される信号に応じてキャリア信号をＢＰＳＫ（Binary Phase Shift Keying）変調し、変調信号にスペクトル拡散を行い、アナログ信号に変換して送信する。なお、変調方法はＢＰＳＫ変調に限られず、ＡＳＫ変調やＦＳＫ変調を行うようにしてもよい。また、スペクトル拡散は直接拡散方式に限られず、周波数ホッピング方式を用いてもよい。なお、本実施形態では、スペクトル拡散を行っているが、これに限定されず、スペクトル拡散を行わないようにしてもよい。通信部１４は、パワーケーブル４１で送られる信号をコイルによって検出し、デジタル信号に変換して、逆拡散およびフィルタリングを行い、復調を行って、制御部１３に出力する。なお、溶接電源装置１からワイヤ送給装置２に送信する信号と、ワイヤ送給装置２から溶接電源装置１に送信する信号とでは、異なる周波数帯域を利用している。
【００３４】
ワイヤ送給装置２は、ワイヤ電極を溶接トーチＴに送り出すものである。ワイヤ送給装置２は、図示しない送給モータを制御して、ワイヤ電極の送り出しを行う。また、ワイヤ送給装置２は、溶接電源装置１と遠隔操作装置３との通信を中継する機能も有しており、中継部２１を備えている。
【００３５】
中継部２１は、溶接電源装置１と遠隔操作装置３との通信を中継するものである。中継部２１は、溶接電源装置１との間でパワーケーブル４１を介した有線通信を行い、遠隔操作装置３との間で無線通信を行う。中継部２１は、溶接電源装置１が送信した信号を、パワーケーブル４１の周囲に配置されたコイルによって検出し、検出した信号を増幅して、アンテナによって電磁波として遠隔操作装置３に送信する。また、中継部２１は、遠隔操作装置３が出力する電磁波をアンテナで受信し、受信した信号を増幅して、コイルを介して、パワーケーブル４１で送信する。なお、中継部２１は、受信した信号を増幅することなく、そのまま送信するようにしてもよい。また、中継部２１が受信した信号を一旦復調して、所定の処理を行った上で変調して送信するようにしてもよい。例えば、溶接電源装置１から送信した信号でワイヤ送給装置２を制御する場合は、中継部２１での復調および変調が必要になる。
【００３６】
遠隔操作装置３は、離れた位置から溶接電源装置１を操作するためのものである。遠隔操作装置３は、溶接電源装置１の電力変換部１１を起動したり、溶接電源装置１の溶接条件パラメータＷｐの変更を行ったりする。また、溶接電源装置１で検出された溶接電圧または溶接電流の検出値を表示したり、溶接電源装置１で発生した異常を報知したりする。遠隔操作装置３は、操作部３１、記憶部３２、表示部３３、報知部３４、制御部３５、および、通信部３６を備えている。
【００３７】
操作部３１は、溶接作業者による操作ボタンの操作を操作信号として制御部３５に出力するものである。
【００３８】
図２は、遠隔操作装置３の外観図の一例である。同図に示すように、遠隔操作装置３の操作部３１には、操作ボタンとして、溶接電流設定用ボタン３１ａ、溶接電圧設定用ボタン３１ｂ、および、起動ボタン３１ｃが配置されている。溶接電流設定用ボタン３１ａは、溶接電源装置１から出力される溶接電流の設定電流を変更するためのものである。溶接電圧設定用ボタン３１ｂは、溶接電源装置１から出力される溶接電圧の設定電圧を変更するためのものである。起動ボタン３１ｃは、溶接電源装置１の電力変換部１１を起動させるためのものである。溶接電流設定用ボタン３１ａまたは溶接電圧設定用ボタン３１ｂが操作されると、操作部３１は、溶接条件を変更するための操作信号を、制御部３５に出力する。起動ボタン３１ｃが操作されると、操作部３１は、起動のための操作信号を、制御部３５に出力する。なお、操作部３１には、他の操作ボタンも配置されているが、同図では省略している。各操作ボタンの操作の詳細については後述する。
【００３９】
図１に戻って、記憶部３２は、操作部３１の操作ボタンの操作によって設定される溶接条件Ｗｒを記憶するものである。また、記憶部３２は、溶接電源装置１から溶接条件パラメータ信号として受信した溶接条件パラメータＷｐも記憶している。記憶部３２は、溶接条件Ｗｒと溶接条件パラメータＷｐとを、それぞれ定められた記憶領域に記憶している。
【００４０】
表示部３３は、各種表示を行うものであり、例えば液晶表示装置によって実現されている（図２参照）。表示部３３は、制御部３５によって制御されており、記憶部３２に記憶されている溶接条件Ｗｒを表示し、後述する判定処理の結果も表示する。また、溶接電源装置１で検出された溶接電圧や溶接電流の検出値の表示も行う。
【００４１】
報知部３４は、所定の報知を行うものであり、例えばスピーカによって実現されている（図２参照）。報知部３４は、制御部３５によって制御されており、溶接電源装置１の異常を警告音で報知する。また、後述する判定処理の結果も報知する。なお、報知部３４は、音で報知を行うものに限定されない。例えば、振動で報知を行うようにしてもよいし、表示部３３に文字や画像で報知するようにしてもよい。
【００４２】
制御部３５は、遠隔操作装置３の制御を行うものであり、例えばマイクロコンピュータなどによって実現されている。制御部３５は、操作部３１より入力される起動のための操作信号に応じて、溶接電源装置１の電力変換部１１を起動するための起動信号を通信部３６に出力する。また、操作部３１より入力される溶接条件Ｗｒを変更するための操作信号に応じて、記憶部３２に記憶されている溶接条件Ｗｒを変更する。
【００４３】
また、制御部３５は、あらかじめ設定された送信周期ごとに、記憶部３２に記憶されている溶接条件Ｗｒを読み出して、通信部３６および表示部３４に出力する。なお、本実施形態では、送信周期は、１０〜５００ｍｓ程度の範囲で設定されている。制御部３５に設定される送信周期は、溶接電源装置１の制御部１３に設定される送信周期と同じであってもよいし、異なっていてもよい。また、送信周期に係わらず、記憶部３２に記憶されている溶接条件Ｗｒが変更された時に、変更後の溶接条件Ｗｒを出力するようにしてもよい。
【００４４】
また、制御部３５は、通信部３６より入力される溶接電圧または溶接電流の検出値を、表示部３３に出力して表示させたり、通信部３６より入力される異常発生を示す信号に基づいて、報知部３４に異常の報知をさせたりする。
【００４５】
また、制御部３５は、遠隔操作装置３で設定された溶接条件Ｗｒが溶接電源装置１に正しく通信されているかを判定する判定処理を行う。
【００４６】
図３は、制御部３５が行う判定処理を説明するためのフローチャートである。当該判定処理は、所定のタイミング毎に実行される。
【００４７】
上述したように、溶接電源装置１は送信周期ごとに溶接条件パラメータ信号を遠隔操作装置３に送信しており、記憶部３２は溶接条件パラメータＷｐとして記憶している。まず、記憶部３２に記憶されている溶接条件パラメータＷｐが取得される（Ｓ１）。また、記憶部３２は、遠隔操作装置３で設定された溶接条件Ｗｒも記憶している。記憶部３２に記憶されている溶接条件Ｗｒが取得される（Ｓ２）。
【００４８】
次に、溶接条件パラメータＷｐが溶接条件Ｗｒに一致するか否かが判別される（Ｓ３）。溶接条件パラメータＷｐの各要素（設定電圧や設定電流など）が溶接条件Ｗｒの対応する各要素にすべて一致する場合に、溶接条件パラメータＷｐが溶接条件Ｗｒに一致すると判別される。溶接条件パラメータＷｐは、遠隔操作装置３で設定された溶接条件Ｗｒに基づいて溶接電源装置１に設定されたものである。遠隔操作装置３と溶接電源装置１との間で正しく通信が行われていれば、溶接条件パラメータＷｐと溶接条件Ｗｒとは一致する。溶接条件パラメータＷｐと溶接条件Ｗｒとが一致する場合（Ｓ３：ＹＥＳ）、正しく通信が行われており、遠隔操作装置３で設定された溶接条件Ｗｒが溶接条件パラメータＷｐとして溶接電源装置１に正しく設定されていると判定され、一致信号（例えば、ローレベル信号）が報知部３４に出力されて（Ｓ４）、判定処理が終了する。
【００４９】
一方、溶接条件パラメータＷｐと溶接条件Ｗｒとが一致しない場合（Ｓ３：ＮＯ）、正しく通信が行われておらず、遠隔操作装置３で設定された溶接条件Ｗｒが溶接電源装置１に正しく設定されていないと判定され、不一致信号（例えば、ハイレベル信号）が報知部３４に出力されて（Ｓ５）、判定処理が終了する。
【００５０】
報知部３４は、一致信号（ローレベル信号）が入力された場合には報知を行わないが、不一致信号（ハイレベル信号）が入力された場合には、例えば、「ピー」という音声によって、報知を行う。これにより、溶接作業者は、通信が正しく行われていないことに気付くことができる。この場合、溶接が不安定になり溶接品質が悪くなる可能性があるので、溶接作業者は溶接作業を開始せずに、通信状態が改善されるのを待つ。また、本実施形態では、判定処理の結果は表示部３３にも出力される。表示部３３は、不一致信号（ハイレベル信号）が入力された場合に通信状態の欄に「×」を表示し、一致信号（例えば、ローレベル信号）が入力された場合に通信状態の欄に「○」を表示する（図２参照）。
【００５１】
なお、判定処理のフローチャートは、図３に示したものに限定されない。例えば、ステップＳ３でＮＯとの判別が所定回数（例えば、１０回）以上連続している場合にのみ、ステップＳ５に進み、ＮＯとの判別が所定回数以上連続しない場合にはステップＳ４に進むようにしてもよい。また、ステップＳ３でＮＯとの判別が所定時間（例えば、１秒）以上連続している場合にのみ、ステップＳ５に進み、ＮＯとの判別が所定時間以上連続しない場合にはステップＳ４に進むようにしてもよい。溶接作業者が溶接条件を設定している途中には、通信による時間遅れによって、ＷｐとＷｒとが一致しない瞬間が発生する場合がある。この瞬間的な不一致の場合にも報知が行われると紛らわしいので、所定回数（または、所定時間）以上連続してＮＯと判別されることで判定を行っている。
【００５２】
通信部３６は、ワイヤ送給装置２との間で無線通信を行うためのものである。通信部３６は、ワイヤ送給装置２から受信した信号を復調して、制御部３５に出力する。ワイヤ送給装置２から受信する信号には、例えば、溶接電源装置１においてセンサで検出された溶接電圧または溶接電流の検出信号や、異常発生を示す信号、記憶部１２に記憶されている溶接条件パラメータＷｐに基づいて送信された溶接条件パラメータ信号などがある。また、通信部３６は、制御部３５から入力される信号を変調して、ワイヤ送給装置２に送信する。ワイヤ送給装置２に送信する信号には、例えば、電力変換部１１の起動を指示する起動信号や、記憶部３２に記憶された溶接条件Ｗｒを送信するための溶接条件設定信号などがある。なお、溶接電源装置１との間で送受信される信号は、上記したものに限定されない。
【００５３】
通信部３６は、アンテナ３６ａを介して信号の送受信を行う。通信部３６は、制御部３５より入力される信号に応じてキャリア信号をＢＰＳＫ（Binary Phase Shift Keying）変調し、変調信号にスペクトル拡散を行い、アナログ信号に変換して、電磁波として送信する。なお、変調方法はＢＰＳＫ変調に限られず、ＡＳＫ変調やＦＳＫ変調を行うようにしてもよい。また、スペクトル拡散は直接拡散方式に限られず、周波数ホッピング方式を用いてもよい。なお、本実施形態では、スペクトル拡散を行っているが、これに限定されず、スペクトル拡散を行わないようにしてもよい。通信部３６は、アンテナ３６ａが受信した電磁波をデジタル信号に変換して、逆拡散およびフィルタリングを行い、復調を行って、制御部３５に出力する。なお、遠隔操作装置３からワイヤ送給装置２に送信する信号と、ワイヤ送給装置２から遠隔操作装置３に送信する信号とでは、異なる周波数帯域を利用している。
【００５４】
次に、溶接作業者が遠隔操作装置３を操作して、溶接電源装置１の溶接条件パラメータＷｐを設定する場合を例として、溶接装置Ａの作用について説明する。
【００５５】
溶接作業者は、遠隔操作装置３の操作部３１を操作して溶接条件Ｗｒを設定する。図２に示すように、溶接電流設定用ボタン３１ａには「Ｃｕｒｒｅｎｔ」とラベルが付されており、ボタンの上部を１回押すごとに設定電流の値が１Ａずつ増加し、ボタンの下部を１回押すごとに設定電流の値が１Ａずつ減少する。また、溶接電圧設定用ボタン３１ｂには「Ｖｏｌｔａｇｅ」とラベルが付されており、ボタンの上部を１回押すごとに設定電圧の値が０．１Ｖずつ増加し、ボタンの下部を１回押すごとに設定電圧の値が０.１Ｖずつ減少する。操作部３１の操作によって、記憶部３２に記憶されている溶接条件Ｗｒが変更される。記憶部３２に記憶されている溶接条件Ｗｒは、表示部３３に表示される。図２においては、現在の溶接条件Ｗｒの一部である「設定電流：１５０Ａ」および「設定電圧：１８．５Ｖ」が表示されている。溶接作業者は、表示部３３の表示をみて、所望の値になるように操作部３１を操作する。なお、同図においては他の溶接条件Ｗｒの表示を省略している。
【００５６】
遠隔操作装置３は、記憶部３２に記憶されている溶接条件Ｗｒを、送信周期ごとに溶接条件設定信号として、無線通信によってワイヤ送給装置２に送信する。ワイヤ送給装置２は受信した溶接条件設定信号を増幅して、パワーケーブル４１を介した有線通信によって溶接電源装置１に送信する。
【００５７】
溶接電源装置１は、ワイヤ送給装置２から受信した溶接条件設定信号に基づいて、記憶部１２に記憶されている溶接条件パラメータＷｐを変更する。溶接電源装置１は、記憶部１２に記憶されている溶接条件パラメータＷｐに基づいて制御される。
【００５８】
また、溶接電源装置１は、記憶部１２に記憶されている溶接条件パラメータＷｐを、送信周期ごとに溶接条件パラメータ信号として、パワーケーブル４１を介した有線通信によってワイヤ送給装置２に送信する。ワイヤ送給装置２は受信した溶接条件パラメータ信号を増幅して、無線通信によって遠隔操作装置３に送信する。
【００５９】
遠隔操作装置３は、ワイヤ送給装置２から受信した溶接条件パラメータ信号に基づいて、記憶部３２に記憶されている溶接条件パラメータＷｐを変更する。また、遠隔操作装置３は、所定のタイミング毎に判定処理を行う。すなわち、記憶部３２に記憶されている溶接条件パラメータＷｐと溶接条件Ｗｒとが一致するか否かを判別して、正しく通信されているかを判定する。遠隔操作装置３は、判定結果に応じて、表示部３３に所定の表示を行い、報知部３４に所定の報知をさせる。図２の場合は、正しく通信されていると判定されて、表示部３３に「通信状態：○」の表示がされており、報知部３４による音声での報知はされていない。溶接作業者は、「通信状態：○」の表示により、表示部３３に表示されている溶接条件Ｗｒが溶接電源装置１の溶接条件パラメータＷｐとして正しく設定されていることを確認することができる。もし、「通信状態：×」と表示されていた場合は、表示部３３に表示されている溶接条件Ｗｒとは異なる内容で溶接電源装置１の溶接条件パラメータＷｐが設定されていることを、溶接作業者は認識することができる。
【００６０】
本実施形態によると、遠隔操作装置３とワイヤ送給装置２とが無線通信を行い、ワイヤ送給装置２と溶接電源装置１とがパワーケーブル４１を介した有線通信を行う。遠隔操作装置３はワイヤ送給装置２の近くに位置するので、間に隔壁やほかの溶接装置などが存在する可能性が少なく、無線通信に障害が発生しにくい。また、ワイヤ送給装置２と溶接電源装置１とは離れていても有線通信なので、通信に障害が発生しにくい。したがって、遠隔操作装置３が溶接電源装置１と直接無線通信を行う場合と比べて、通信に障害が発生しにくく、正確に通信を行うことができる。
【００６１】
また、遠隔操作装置３は判定処理を行い、溶接電源装置１との間で正しく通信できなかった場合に、その旨を溶接作業者に知らせる。したがって、通信に障害が発生した場合に、そのまま溶接作業を開始して、溶接が不安定になって溶接品質が悪くなってしまうことを抑制することができる。
【００６２】
なお、本実施形態においては、溶接条件が設定電圧および設定電流を含んでいる場合について説明したが、これに限られない。溶接条件は、設定電圧および設定電流のいずれか一方を含んでいなくてもよい。また、溶接条件が、設定電圧および設定電流のいずれも含まないようにしてもよい。例えば、溶接条件を、設定電圧、設定電流、その他の条件を組み合わせたパターンとして溶接電源装置１の記憶部１２に記憶しておき、遠隔操作装置３とはパターンのナンバーだけを溶接条件として送受信するようにしてもよい。
【００６３】
本実施形態においては、溶接電源装置１が直流電力を供給する直流電源である場合について説明したが、これに限られない。例えばアルミなどの溶接を行うために、溶接電源装置１を、交流電力を供給する交流電源としてもよい。この場合、電力変換部１１にさらにインバータ回路を追加し、整流回路から出力される直流電力を交流電力に変換して出力するようにすればよい。
【００６４】
本実施形態においては、通信部１４および中継部２１が、パワーケーブル４１の周囲に配置されたコイルによる磁気結合を利用する場合について説明したが、これに限られない。例えば、パワーケーブル４１に接続されたコンデンサを用いて、送信信号を電圧信号としてパワーケーブル４１で送信し、また、パワーケーブル４１で送られる電圧信号を検出するようにしてもよい。
【００６５】
上記第１実施形態においては、溶接電源装置１と遠隔操作装置３とが、ワイヤ送給装置２を中継する通信のみを行う場合について説明したが、これに限られない。例えば、溶接電源装置１と遠隔操作装置３とが直接通信も行うようにしてもよい。直接通信も行う場合を第２実施形態として、以下に説明する。
【００６６】
図４は、第２実施形態に係る溶接装置の全体構成を説明するための図である。同図において、第１実施形態に係る溶接装置Ａ(図１参照）と同一または類似の要素には、同一の符号を付している。
【００６７】
図４に示す溶接装置Ａ２は、溶接電源装置１’が無線通信部１５を備えており、無線通信部１５が遠隔操作装置３の通信部３６と直接無線通信を行う点で、第１実施形態に係る溶接装置Ａと異なる。
【００６８】
無線通信部１５は、遠隔操作装置３との間で無線通信を行うためのものであり、アンテナを介して信号の送受信を行う。無線通信部１５の通信方式は、無線通信であることを除いて、通信部１４の通信方式と共通する。溶接電源装置１’は、遠隔操作装置３との通信において、２つの通信経路を有している。無線通信部１５は、通信部１４がワイヤ送給装置２を経由して遠隔操作装置３に送信する信号と同じ信号を、無線通信により遠隔操作装置３に直接送信する。また、遠隔操作装置３が送信する信号は、ワイヤ送給装置２を経由して通信部１４によって受信され、無線通信部１５によっても受信される。通信部１４が受信した信号と、無線通信部１５が受信した信号とが一致する場合、いずれの通信経路でも通信障害が発生していないと考えることができる。
【００６９】
制御部１３’は、通信部１４が受信した信号と無線通信部１５が受信した信号の比較を行い、両者が一致する場合にのみ、当該信号を受け付けて処理を行う。一致しない場合は、当該信号の再送信を要求する。
【００７０】
図５は、溶接電源装置１’の制御部１３’が行う比較処理を説明するためのフローチャートである。当該比較処理は、溶接電源装置１’が起動されたときに開始される。
【００７１】
まず、通信部１４および無線通信部１５が信号を受信したか否かが判別される（Ｓ１１）。信号が受信されるまでステップＳ１１の判別は繰り返され、信号が受信された場合（Ｓ１１：ＹＥＳ）に、通信部１４が受信した信号Ｓ1が取得され（Ｓ１２）、無線通信部１５が受信した信号Ｓ2が取得される（Ｓ１３）。
【００７２】
次に、信号Ｓ1と信号Ｓ2とが一致するか否かが判別される（Ｓ１４）。一致する場合（Ｓ１４：ＹＥＳ）、２つの通信経路のいずれにも通信障害が発生しておらず、受信された信号Ｓ1および信号Ｓ2は正しく通信されたものであると考えられるので、信号Ｓ1（または信号Ｓ2）に応じた処理が行われて（Ｓ１５）、ステップＳ１１に戻る。例えば、信号Ｓ1，Ｓ2が溶接条件設定信号であった場合、記憶部１２の溶接条件パラメータＷｐが変更される。また、信号Ｓ1，Ｓ2が起動信号であった場合、電力変換部１１が起動される。一方、一致しない場合（Ｓ１４：ＮＯ）、２つの通信経路のいずれか一方または両方で通信障害が発生していると考えられるので、遠隔操作装置３に対して信号の再送信が要求されて（Ｓ１６）、ステップＳ１１に戻る。
【００７３】
信号が受信された場合（Ｓ１１：ＹＥＳ）に、信号Ｓ1と信号Ｓ2とが一致すれば（Ｓ１４：ＹＥＳ）、処理が行われて（Ｓ１５）、次の信号の受信待ち状態（Ｓ１１）になる。信号Ｓ1と信号Ｓ2とが一致しなければ（Ｓ１４：ＮＯ）、再送信が要求されて（Ｓ１６）、再送信される信号を待つ（Ｓ１１）。
【００７４】
第２実施形態によると、溶接電源装置１’は２つの通信経路で受信された信号が一致する場合にのみ処理を行うので、通信障害が発生して正しく通信できていない状態で受信した信号に基づいて処理をしてしまうことを防止することができる。
【００７５】
なお、図５に示すフローチャートの場合、信号Ｓ1と信号Ｓ2とが一致するまで再送信が要求されるので、処理が行われるまでに時間がかかる場合がある。信号Ｓ1と信号Ｓ2とが一致しない場合でも、いずれか一方の通信経路では通信障害が発生していない場合がある。したがって、信号Ｓ1と信号Ｓ2との比較が所定回数行われても一致しない場合には、通信障害が発生していない可能性が高い通信経路の信号に基づいて処理を行うようにしてもよい。
【００７６】
図６は、溶接電源装置１’の制御部１３’が行う比較処理の別の実施例を説明するためのフローチャートである。図６に示すフローチャートは、図５に示すフローチャートに対して、ステップＳ２１〜Ｓ２４が追加され、ステップＳ１５がＳ１５’に変更されている。具体的には、比較回数Ｎをカウントして（ステップＳ２３）、所定回数Ｎ0を超えたか否かを判別し（Ｓ２２）、超えた場合（Ｓ２２：ＹＥＳ）には、信号Ｓ1に応じた処理が行われる（Ｓ１５’）。ステップＳ２１およびＳ２４は、比較回数Ｎを「１」に初期化するステップである。
【００７７】
受信された信号Ｓ1と信号Ｓ2とが一致しなければ（Ｓ１４：ＮＯ）、ステップＳ２２，Ｓ１６，Ｓ２３，Ｓ１１〜Ｓ１４が繰り返され、比較回数Ｎがカウントされる。比較回数Ｎが所定回数Ｎ0を超えた場合（Ｓ２２：ＹＥＳ）、信号Ｓ1に応じた処理が行われ（Ｓ１５’）、比較回数Ｎが「１」に初期化されて（Ｓ２４）、次の信号の受信待ち状態（Ｓ１１）になる。
【００７８】
無線通信部１５が遠隔操作装置３との間で無線通信を行うのに対して、通信部１４はワイヤ送給装置２との間で有線通信を行い、ワイヤ送給装置２と遠隔操作装置３とは近い位置で無線通信を行っている。したがって、通信部１４が受信した信号Ｓ1の方が無線通信部１５が受信した信号Ｓ2より信頼性が高い。よって、ステップＳ１５’では、信号Ｓ1に応じて処理を行うようにしている。
【００７９】
この実施例の場合、信号Ｓ1と信号Ｓ2とが一致するまで再送信要求をする場合より信頼性は低くなるが、処理が行われるまでの時間を短縮することができる。なお、比較回数Ｎが所定回数Ｎ0を超えた場合（Ｓ２２：ＹＥＳ）に、遠隔操作装置３に注意を促すための信号を送信するようにしてもよい。当該信号を受信した遠隔操作装置３が注意を報知するようにすれば、溶接作業者に通信障害の可能性があることの注意を促すことができる。
【００８０】
さらに別の実施例として、信号Ｓ1と信号Ｓ2とが一致しない場合に、再送信要求をせずに、信号Ｓ1に応じた処理を行うようにしてもよい。この場合のフローチャートは、図５に示すフローチャートにおいて、ステップＳ１６をステップＳ１５’に置き換えたものになる。この実施例の場合、さらに信頼性は低くなるが、処理が行われるまでの時間をさらに短縮することができる。
【００８１】
また、遠隔操作装置３の制御部３５にも同様の機能を持たせるようにしてもよい。すなわち、制御部３５が、通信部３６が無線通信部１５から直接受信した信号と、中継部２１で中継されてから通信部３６が受信した信号との比較を行い、両者が一致する場合に当該信号を受け付けて処理を行い、一致しない場合には当該信号の再送信を要求するようにしてもよい。
【００８２】
上記第１および第２実施形態においては、溶接電源装置１と遠隔操作装置３との通信の中継をワイヤ送給装置２が行う場合について説明したが、これに限られない。例えば、非消耗電極式の溶接装置の場合、ワイヤ送給装置２は用いられない。この場合は、溶接トーチＴに中継機能を設け、溶接トーチＴが通信の中継を行うようにすればよい。非消耗電極式の溶接装置の場合を第３実施形態として、以下に説明する。
【００８３】
図７は、第３実施形態に係る溶接装置の全体構成を説明するための図である。同図において、第１実施形態に係る溶接装置Ａ(図１参照）と同一または類似の要素には、同一の符号を付している。
【００８４】
図７に示す溶接装置Ａ３は、ワイヤレス送給装置２を備えておらず、溶接トーチＴ’が中継部２１を備えている点で、第１実施形態に係る溶接装置Ａと異なる。当該中継部２１は、第１実施形態に係るワイヤ送給装置２の中継部２１と同様の構成で同様の機能を有する。溶接トーチＴ’は、溶接電源装置１との間でパワーケーブル４１を介した有線通信を行い、遠隔操作装置３との間で無線通信を行う。溶接トーチＴ’は、受信した信号を増幅して送信する中継機能を有する。また、溶接トーチＴ’は溶接作業者が手に持って使用するものなので、溶接トーチＴ’と遠隔操作装置３とは近くに位置する。したがって、第３実施形態においても、第１実施形態と同様の効果を奏することができる。
【００８５】
また、ワイヤ送給装置２や溶接トーチＴ’に中継部２１を設けるのではなく、中継部２１を備える中継装置を別途設けるようにしてもよい。消耗電極式の溶接装置において、パワーケーブル４１の途中に中継装置５を設けた場合を第４実施形態として、以下に説明する。
【００８６】
図８は、第４実施形態に係る溶接装置の全体構成を説明するための図である。同図において、第１実施形態に係る溶接装置Ａ(図１参照）と同一または類似の要素には、同一の符号を付している。
【００８７】
図８に示す溶接装置Ａ４は、ワイヤレス送給装置２’に中継部２１が設けられておらず、中継部２１を備えた中継装置５がパワーケーブル４１の途中に設けられている点で、第１実施形態に係る溶接装置Ａと異なる。当該中継部２１は、第１実施形態に係るワイヤ送給装置２の中継部２１と同様の構成で同様の機能を有する。中継装置５は、溶接電源装置１との間でパワーケーブル４１を介した有線通信を行い、遠隔操作装置３との間で無線通信を行う。また、中継装置５は、受信した信号を増幅して送信する中継機能を有する。中継装置５は、パワーケーブル４１の任意の位置に設けることができるが、遠隔操作装置３との間で無線通信を行いやすいように、できるだけ遠隔操作装置３に近い位置に設ける方がよい。なお、中継装置５は、パワーケーブル４１上で移動可能に配置されるようにしてもよい。第４実施形態においても、第１実施形態と同様の効果を奏することができる。
【００８８】
本発明に係る溶接装置、および、溶接装置の通信方法は、上述した実施形態に限定されるものではない。本発明に係る溶接装置、および、溶接装置の通信方法の各部の具体的な構成は、種々に設計変更自在である。
【符号の説明】
【００８９】
Ａ，Ａ２，Ａ３，Ａ４  溶接装置
１，１’  溶接電源装置
１１  電力変換部
１２  記憶部（第１記憶手段）
１３  制御部（第１記憶制御手段、出力制御手段、）
１３’  制御部（比較手段、処理手段、再送信要求手段、カウント手段、第１記憶制御手段、出力制御手段）
１４  通信部（第１通信手段）
１５  無線通信部
２，２’  ワイヤ送給装置（中継装置）
２１  中継部
３  遠隔操作装置
３１  操作部
３１ａ  溶接電流設定用ボタン
３１ｂ  溶接電圧設定用ボタン
３１ｃ  起動ボタン
３２  記憶部（第２記憶手段、第３記憶手段）
３３  表示部（表示手段、報知手段）
３４  報知部（報知手段）
３５  制御部（第２記憶制御手段、判定手段）
３６  通信部（第２通信手段）
３６ａ  アンテナ
４１，４２  パワーケーブル
５  中継装置
Ｔ  溶接トーチ
Ｔ’  溶接トーチ（中継装置）
Ｗ  被加工物
【図１】
2014240089.tif 000003
【図２】
2014240089.tif 000004
【図３】
2014240089.tif 000005
【図４】
2014240089.tif 000006
【図５】
2014240089.tif 000007
【図６】
2014240089.tif 000008
【図７】
2014240089.tif 000009
【図８】
2014240089.tif 000010
【図９】
2014240089.tif 000011